(57)【要約】【課題】先頭又は先頭から連続する複数の画像コマの読取位置が特定できない場合のフィルム画像読み取りを改善させた画像読取装置を得る。【解決手段】フィルムに記録された複数の画像コマのうち先頭の画像コマ又は先頭から連続する複数の画像コマの位置特定ができなかった場合は、位置特定が可能な画像コマに到達するまで写真フィルムを搬送して順次画像検出を行い、位置特定できなかった画像コマの記録位置は位置特定できた画像コマの記録位置に基づいて特定するとともに、写真フィルムを所定方向に搬送して先頭の画像コマを画像読取部の光軸に位置合わせして先頭の画像コマから順に所定の画像読み取りを行う。これにより、先頭の画像コマが特定できない場合の手動による位置合わせを省くことができる。【選択図】　　図１２
2004004646.tif 000002
【特許請求の範囲】
【請求項１】
フィルムに記録された複数の画像を読み取る画像読取装置であって、
前記フィルムを搬送して前記複数の画像をそれぞれ画像読取位置に移動させる移動手段と、
前記移動に伴い前記複数の画像をそれぞれ検出する画像検出手段と、
前記画像検出手段の検出結果に基づいて画像の記録位置を特定するとともに、その位置特定された画像を前記画像読取位置に位置合わせするよう前記移動手段を制御する制御手段と、を備え、
前記制御手段は更に、前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、フィルムを所定方向に搬送して前記先頭の画像を画像読取位置に位置合わせするよう前記移動手段を制御することを特徴とする画像読取装置。
【請求項２】
フィルムに記録された複数の画像を読み取る画像読取装置であって、
前記フィルムを搬送して前記複数の画像をそれぞれ画像読取位置に移動させる移動手段と、
前記移動に伴い前記複数の画像をそれぞれ検出する画像検出手段と、
前記画像検出手段の検出結果に基づいて画像の記録位置を特定するとともに、その位置特定された画像を前記画像読取位置に位置合わせするよう前記移動手段を制御する制御手段と、を備え、
前記制御手段は更に、前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、前記位置特定が可能な画像を含むそれ以降の画像の画像読取を順次行い最後の画像の画像読取が終了してからフィルムを所定方向に搬送して前記先頭の画像を画像読取位置に位置合わせするよう前記移動手段を制御することを特徴とする画像読取装置。
【請求項３】
フィルムに記録された複数の画像を読み取る画像読取装置であって、
前記フィルムを搬送して前記複数の画像をそれぞれ画像読取位置に移動させる移動手段と、
前記移動に伴い前記複数の画像をそれぞれ検出する画像検出手段と、
前記画像検出手段の検出結果に基づいて画像の記録位置を特定するとともに、その位置特定された画像を前記画像読取位置に位置合わせするよう前記移動手段を制御する制御手段と、を備え、
前記制御手段は更に、前記複数の画像の位置特定が全て又は前記フィルムの先頭から連続する所定数又はフィルムを所定距離搬送する間にできなかった場合で、且つ、前記画像検出においては画像が検出できた場合は、その検出できた画像のうち最初に検出した画像を画像読取位置に位置合わせするよう前記移動手段を制御することを特徴とする画像読取装置。
【請求項４】
前記画像の位置特定が前記フィルムの先頭から連続する所定数又はフィルムを所定距離搬送する間にできなかった場合に、前記搬送手段によるフィルムの搬送を停止させる停止モードが設定可能なモード設定手段を有することを特徴とする請求項１〜請求項３の何れか１項記載の画像読取装置。
【請求項５】
前記フィルムの種類に応じて前記移動手段によるフィルムの搬送方向を一方向に限定する搬送モードが設定可能なモード設定手段を有することを特徴とする請求項１〜請求項３の何れか１項記載の画像読取装置。
【請求項６】
フィルムを搬送して複数の画像をそれぞれ画像読取位置に移動させる移動手段と、
前記移動に伴い前記複数の画像をそれぞれ検出する画像検出手段と、
前記画像検出手段の検出結果に基づいて画像の記録位置を特定するとともに、その位置特定された画像を前記画像読取位置に位置合わせするよう前記移動手段を制御する制御手段と、を備えた画像読取装置の画像読取方法であって、
前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、フィルムを所定方向に搬送して前記先頭の画像を画像読取位置に位置合わせすることを特徴とする画像読取方法。
【請求項７】
フィルムを搬送して複数の画像をそれぞれ画像読取位置に移動させる移動手段と、
前記移動に伴い前記複数の画像をそれぞれ検出する画像検出手段と、
前記画像検出手段の検出結果に基づいて画像の記録位置を特定するとともに、その位置特定された画像を前記画像読取位置に位置合わせするよう前記移動手段を制御する制御手段と、を備えた画像読取装置の画像読取方法であって、
前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、前記位置特定が可能な画像を含むそれ以降の画像の画像読取を順次行い最後の画像の画像読取が終了してからフィルムを所定方向に搬送して前記先頭の画像を画像読取位置に位置合わせすることを特徴とする画像読取方法。
【請求項８】
フィルムを搬送して複数の画像をそれぞれ画像読取位置に移動させる移動手段と、
前記移動に伴い前記複数の画像をそれぞれ検出する画像検出手段と、
前記画像検出手段の検出結果に基づいて画像の記録位置を特定するとともに、その位置特定された画像を前記画像読取位置に位置合わせするよう前記移動手段を制御する制御手段と、を備えた画像読取装置の画像読取方法であって、
前記複数の画像の位置特定が全て又は前記フィルムの先頭から連続する所定数又はフィルムを所定距離搬送する間にできなかった場合で、且つ、前記画像検出においては画像が検出できた場合は、その検出できた画像のうち最初に検出した画像を画像読取位置に位置合わせすることを特徴とする画像読取方法。
【発明の詳細な説明】
【０００１】
【発明の属する技術分野】
本発明は、画像読取装置及び画像読取方法に係り、詳しくは、フィルムに記録された複数の画像を読み取る画像読取装置及び画像読取方法に関する。
【０００２】
【従来の技術】
１３５タイプのフィルム画像読み取りでは、先頭コマと思われる画像コマが読取位置に搬送されても、次コマ以降のコマ位置が確定されない場合は、搬送を停止させてオペレータが先頭コマ位置を手動で読取位置に合わせている。
【０００３】
このような画像コマの位置合わせに関する技術としては、透過濃度分布の異常でコマエッジが検出できなかった不良画像コマの位置決めを定量送りにより位置決めする際、処理されているフィルム特有の傾向に適合させることにより、具体的には、位置決めしようとする不良画像コマよりも前の全ての正常画像コマの画像コマ長（搬送方向長さ寸法）Ｌ１ｎの平均値を求めてそのフィルムを撮影したカメラでの画像コマサイズの傾向を把握するとともに、正常画像コマ同士間の寸法Ｌ２ｎの平均値を求めて上記カメラでの送りピッチの傾向を把握し、これらの傾向に基づいて（Ｌ１ｎの平均値とＬ２ｎの平均値の和によって）定量送りのための搬送量を定めることにより、予め定められた規格上の搬送量に比べ、不良画像コマの位置を正しく位置決めできるようにするものがある（例えば、特許文献１参照）。ただしこの従来技術では、不良画像コマが先頭コマの場合は、上述したフィルム特有の傾向が把握できないため、フィルムを予め定められた基準量搬送するようにしている。したがって、フィルムをその基準量搬送した後には、やはりオペレータが手動で先頭コマを適正な読取位置に合わせる必要がある。
【０００４】
また他には、画像コマの搬送下手側のエッジ、あるいは、搬送上手側のエッジの少なくとも一方を検出できない状態では、その搬送下手側の画像コマにおいて既に設定された画像コマの中央位置、あるいは、その搬送下手側の画像コマの何れかのエッジの位置に基づいて、その画像コマの中央位置を設定するようにしたものがある（例えば、特許文献２参照）。さらに、この従来技術では、フィルムの先頭の画像コマのエッジが不鮮明である場合には、画像コマの中央位置を決めるための基準となる画像コマの位置が確定していないので、この先頭コマの次に光学センサでエッジが検出されるであろう画像コマに基づいて先頭の画像コマの位置を決めることが可能になるとされている。
【０００５】
【特許文献１】
特開平５−１４２６６１号公報　（第５頁、第８−１０頁、第１２図、第１８図）
【特許文献２】
特開２０００−２８４３７７　（第５−第７頁、第１０図、第１３図）
【０００６】
【発明が解決しようとする課題】
しかしながら、この特許文献２には、コマエッジが検出できない先頭コマの読取位置合わせに関し、上記記載した着想の他は、例えば先頭コマの読取位置を確定できたとしてもその後の具体的な処理内容等については、一切述べられていない。また、コマエッジが検出できず読取位置を特定できない画像コマが先頭コマから多数連続するようなフィルムの画像読み取りにおいては改善の余地が残る。
【０００７】
本発明は上記事実を考慮して、先頭又は先頭から連続する複数の画像コマの読取位置が特定できない場合のフィルム画像読み取りを改善させた画像読取装置及び画像読取方法を提供することを課題とする。
【０００８】
【課題を解決するための手段】
請求項１に記載の発明は、フィルムに記録された複数の画像を読み取る画像読取装置であって、前記フィルムを搬送して前記複数の画像をそれぞれ画像読取位置に移動させる移動手段と、前記移動に伴い前記複数の画像をそれぞれ検出する画像検出手段と、前記画像検出手段の検出結果に基づいて画像の記録位置を特定するとともに、その位置特定された画像を前記画像読取位置に位置合わせするよう前記移動手段を制御する制御手段と、を備え、前記制御手段は更に、前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、フィルムを所定方向に搬送して前記先頭の画像を画像読取位置に位置合わせするよう前記移動手段を制御することを特徴とする。
【０００９】
請求項１に記載の発明では、移動手段によるフィルムの搬送に伴い、フィルムに記録された複数の画像はそれぞれ画像検出手段により検出される。制御手段は、画像検出手段の検出結果に基づいて画像の記録位置を特定するとともに、移動手段を制御して位置特定された画像を画像読取位置に位置合わせする。さらに制御手段は、複数の画像のうちフィルムの先頭の画像又は先頭から連続する複数の画像の位置特定ができなかった場合は、位置特定が可能な画像に到達するまでフィルムを搬送して順次画像検出を行い、位置特定できなかった画像の記録位置は位置特定できた画像の記録位置に基づいて特定するとともに、フィルムを所定方向に搬送して先頭の画像を画像読取位置に位置合わせするよう移動手段を制御する。そして、先頭の画像から順に所定の画像読み取りが行われる。
【００１０】
このように、従来は位置の特定が困難であったフィルムの先頭の画像又は先頭から連続する複数の画像が自動で画像読取位置に位置合わせされることにより、オペレータは、従来行っていた、先頭の画像を特定できない場合に手動で画像読取位置に位置合わせするような煩わしさから開放される。したがって、オペレータの負担が軽減され、画像読取処理の効率が向上する。
【００１１】
請求項２に記載の発明は、フィルムに記録された複数の画像を読み取る画像読取装置であって、前記フィルムを搬送して前記複数の画像をそれぞれ画像読取位置に移動させる移動手段と、前記移動に伴い前記複数の画像をそれぞれ検出する画像検出手段と、前記画像検出手段の検出結果に基づいて画像の記録位置を特定するとともに、その位置特定された画像を前記画像読取位置に位置合わせするよう前記移動手段を制御する制御手段と、を備え、前記制御手段は更に、前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、前記位置特定が可能な画像を含むそれ以降の画像の画像読取を順次行い最後の画像の画像読取が終了してからフィルムを所定方向に搬送して前記先頭の画像を画像読取位置に位置合わせするよう前記移動手段を制御することを特徴とする。
【００１２】
請求項２に記載の発明では、フィルムに記録された複数の画像のうちフィルムの先頭の画像又は先頭から連続する複数の画像の位置特定ができなかった場合は、位置特定が可能な画像に到達するまでフィルムを搬送して順次画像検出を行い、位置特定できなかった画像の記録位置は位置特定できた画像の記録位置に基づいて特定する。そして、位置特定が可能な画像を含むそれ以降の画像の画像読取を順次行い最後の画像の画像読取が終了してからフィルムを所定方向に搬送して先頭の画像を画像読取位置に位置合わせする。これにより、先頭の画像又は先頭から連続する複数の画像を画像読み取り前に確認し、必要に応じて画像の読取位置を修正する、あるいは、読み取りを行わないなどの画像読取処理の選択肢が広がる。
【００１３】
請求項３に記載の発明は、フィルムに記録された複数の画像を読み取る画像読取装置であって、前記フィルムを搬送して前記複数の画像をそれぞれ画像読取位置に移動させる移動手段と、前記移動に伴い前記複数の画像をそれぞれ検出する画像検出手段と、前記画像検出手段の検出結果に基づいて画像の記録位置を特定するとともに、その位置特定された画像を前記画像読取位置に位置合わせするよう前記移動手段を制御する制御手段と、を備え、前記制御手段は更に、前記複数の画像の位置特定が全て又は前記フィルムの先頭から連続する所定数又はフィルムを所定距離搬送する間にできなかった場合で、且つ、前記画像検出においては画像が検出できた場合は、その検出できた画像のうち最初に検出した画像を画像読取位置に位置合わせするよう前記移動手段を制御することを特徴とする。
【００１４】
請求項３に記載の発明では、フィルムに記録された複数の画像の位置特定が全て又はフィルムの先頭から連続する所定数又はフィルムを所定距離搬送する間にできなかった場合で、且つ、画像検出においては画像が検出できた場合は、その検出できた画像のうち最初に検出した画像を画像読取位置に位置合わせする。このように、最初に検出した画像が自動で画像読取位置に位置合わせされることにより、オペレータは、ディスプレイ等の表示手段に表示される読取領域のモニター画像を確認しながら、手動で画像を探す（読取位置に位置合わせする）必要がなくなる。したがって、オペレータの負担が軽減され画像読取処理の効率が向上する。
【００１５】
請求項４に記載の発明は、請求項１〜請求項３の何れか１項記載の画像読取装置において、前記画像の位置特定が前記フィルムの先頭から連続する所定数又はフィルムを所定距離搬送する間にできなかった場合に、前記搬送手段によるフィルムの搬送を停止させる停止モードが設定可能なモード設定手段を有することを特徴とする。
【００１６】
請求項４に記載の発明では、モード設定手段による設定で、画像の位置特定が記フィルムの先頭から連続する所定数又はフィルムを所定距離搬送する間にできなかった場合に、搬送手段によるフィルムの搬送が停止するので、フィルムの後端側までいかないと画像の位置特定ができない場合などに、フィルム搬送停止後にオペレータが手動による位置合わせを実行して画像読取時間の短縮を図ることができる。
【００１７】
請求項５に記載の発明は、請求項１〜請求項３の何れか１項記載の画像読取装置において、前記フィルムの種類に応じて前記移動手段によるフィルムの搬送方向を一方向に限定する搬送モードが設定可能なモード設定手段を有することを特徴とする。
【００１８】
請求項５に記載の発明では、逆方向に搬送すると傷が付きやすい１３５サイズのリバーサルフィルム等に対し、搬送方向を順方向の一方向のみに限定する搬送モードを用いることにより、フィルムの傷付きを防止することができる。
【００１９】
請求項６に記載の発明は、フィルムを搬送して複数の画像をそれぞれ画像読取位置に移動させる移動手段と、前記移動に伴い前記複数の画像をそれぞれ検出する画像検出手段と、前記画像検出手段の検出結果に基づいて画像の記録位置を特定するとともに、その位置特定された画像を前記画像読取位置に位置合わせするよう前記移動手段を制御する制御手段と、を備えた画像読取装置の画像読取方法であって、前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、フィルムを所定方向に搬送して前記先頭の画像を画像読取位置に位置合わせすることを特徴とする。
【００２０】
請求項６に記載の発明では、フィルムに記録された複数の画像のうちフィルムの先頭の画像又は先頭から連続する複数の画像の位置特定ができなかった場合は、位置特定が可能な画像に到達するまでフィルムを搬送して順次画像検出を行い、位置特定できなかった画像の記録位置は位置特定できた画像の記録位置に基づいて特定するとともに、フィルムを所定方向に搬送して先頭の画像を画像読取位置に位置合わせする画像読取方法とすることで、画像読取処理の効率が向上する。
【００２１】
請求項７に記載の発明は、フィルムを搬送して複数の画像をそれぞれ画像読取位置に移動させる移動手段と、前記移動に伴い前記複数の画像をそれぞれ検出する画像検出手段と、前記画像検出手段の検出結果に基づいて画像の記録位置を特定するとともに、その位置特定された画像を前記画像読取位置に位置合わせするよう前記移動手段を制御する制御手段と、を備えた画像読取装置の画像読取方法であって、前記複数の画像のうち前記フィルムの先頭の画像又は先頭から連続する複数の画像の位置特定ができなかった場合は、位置特定が可能な画像に到達するまでフィルムを搬送して順次画像検出を行い、前記位置特定できなかった画像の記録位置は位置特定できた画像の記録位置に基づいて特定するとともに、前記位置特定が可能な画像を含むそれ以降の画像の画像読取を順次行い最後の画像の画像読取が終了してからフィルムを所定方向に搬送して前記先頭の画像を画像読取位置に位置合わせすることを特徴とする。
【００２２】
請求項７に記載の発明では、フィルムに記録された複数の画像のうちフィルムの先頭の画像又は先頭から連続する複数の画像の位置特定ができなかった場合は、位置特定が可能な画像に到達するまでフィルムを搬送して順次画像検出を行い、位置特定できなかった画像の記録位置は位置特定できた画像の記録位置に基づいて特定するとともに、位置特定が可能な画像を含むそれ以降の画像の画像読取を順次行い最後の画像の画像読取が終了してからフィルムを所定方向に搬送して先頭の画像を画像読取位置に位置合わせする画像読取方法とすることで、画像読取処理の選択肢が広がる。
【００２３】
請求項８に記載の発明は、フィルムを搬送して複数の画像をそれぞれ画像読取位置に移動させる移動手段と、前記移動に伴い前記複数の画像をそれぞれ検出する画像検出手段と、前記画像検出手段の検出結果に基づいて画像の記録位置を特定するとともに、その位置特定された画像を前記画像読取位置に位置合わせするよう前記移動手段を制御する制御手段と、を備えた画像読取装置の画像読取方法であって、前記複数の画像の位置特定が全て又は前記フィルムの先頭から連続する所定数又はフィルムを所定距離搬送する間にできなかった場合で、且つ、前記画像検出においては画像が検出できた場合は、その検出できた画像のうち最初に検出した画像を画像読取位置に位置合わせすることを特徴とする。
【００２４】
請求項８に記載の発明では、フィルムに記録された複数の画像の位置特定が全て又はフィルムの先頭から連続する所定数又はフィルムを所定距離搬送する間にできなかった場合で、且つ、画像検出においては画像が検出できた場合は、その検出できた画像のうち最初に検出した画像を画像読取位置に位置合わせする画像読取方法とすることで、画像読取処理の効率が向上する。
【００２５】
【発明の実施の形態】
以下、図面を参照して本発明の実施の形態を説明する。
【００２６】
図１に示すように、本実施の形態に係るエリアＣＣＤスキャナ（画像読取装置）１４は、画像処理部１６、マウス２０、２種類のキーボード１２Ａ、１２Ｂ、及びディスプレイ１８が設けられた作業テーブル２７に備えられている。
【００２７】
一方のキーボード１２Ａは作業テーブル２７の作業面２７Ｕ内に埋設されている。他方のキーボード１２Ｂは、不使用時は、作業テーブル２７の引出し２４内に収納され、使用時は、引出し２４から取り出し、一方のキーボード１２Ａ上に重ねる。このとき、キーボード１２Ｂのコードを、画像処理部１６に接続されたジャック１１０に接続する。
【００２８】
マウス２０のコードは作業テーブル２７に設けられた孔１０８を介して画像処理部１６に接続されている。マウス２０は、不使用時はマウスホルダ２０Ａに収納され、使用時はマウスホルダ２０Ａから取り出し、作業面２７Ｕ上に載置する。
【００２９】
画像処理部１６は、作業テーブル２７に設けられた収納部１６Ａに収納され、開閉扉２５によって密閉されている。なお、開閉扉２５を開放することにより、画像処理部１６を取り出すことができるようになっている。
【００３０】
エリアＣＣＤスキャナ１４は、ネガフィルムやリバーサルフィルム等の写真フィルム等の写真感光材料に記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。エリアＣＣＤスキャナ１４は、上記の読取対象のフィルム画像をエリアＣＣＤで読み取り、画像データを出力する。
【００３１】
ここで、写真フィルムとは、被写体を撮影後、現像処理され、ネガ画像又はポジ画像が可視化されたフィルムをいう。
【００３２】
画像処理部１６は、エリアＣＣＤスキャナ１４から出力された画像データが入力されると共に、入力された画像データに対して各種の補正等の画像処理を行って、記録用画像データとして、図示しないレーザプリンタ部へ出力する。
【００３３】
図２及び図３に示すように、エリアＣＣＤスキャナ１４の光学系は、作業テーブル２７の下方に配置された光源部３０、作業テーブル２７に支持された拡散ボックス４０、作業テーブル２７にセットされる、移動手段としてのフィルムキャリア３８、及び作業テーブル２７を挟んで光源部３０の反対側に配置された読取部４３を備えている。
【００３４】
光源部３０は金属製のケーシング３１内に収容されており、ケーシング３１内部には、ハロゲンランプやメタルハライドランプ等から成るランプ３２が配置されている。なお、ランプ３２から射出される光は可視光域の波長の光及び赤外域の波長の光を各々含んでいる。
【００３５】
ランプ３２の周囲にはリフレクタ３３が設けられており、ランプ３２から射出された光の一部はリフレクタ３３によって反射され、一定の方向へ射出される。リフレクタ３３の側方には、複数のファン３４が設けられている。ファン３４はランプ３２が点灯している間作動され、ケーシング３１の内部が過熱状態となることを防止する。
【００３６】
リフレクタ３３の光射出側には、リフレクタ３３からの射出光の光軸Ｌに沿って、ランプ３２からの光及びリフレクタ３３からの射出光の光量を調整する絞り３９、及び、写真フィルム２２及び読取部４３に到達する光の色成分を変更するターレット３６が順に設けられており、ターレット３６は、入射光のうちＲに相当する波長域の光（Ｒ光）のみ透過させるフィルタ３６Ｃ、入射光のうちＧに相当する波長域の光（Ｇ光）のみ透過させるフィルタ３６Ｍ、入射光のうちＢに相当する波長域の光（Ｂ光）のみ透過させるフィルタ３６Ｙ、入射光のうち赤外域の光（ＩＲ光）を透過させるフィルタ３６ＩＲの４個のフィルタが嵌め込まれて構成され、図４（Ｂ）の矢印ｔ方向に回転可能とされている。
【００３７】
絞り３９は光軸Ｌを挟んで配置された一対の板材（絞り板）から成り、一対の板材が接近離間するようにスライド移動可能とされている。図４（Ａ）に示すように、絞り３９の一対の板材は、スライド方向に沿った一端側から他端側に向けて、スライド方向に直交する方向に沿った断面積が連続的に変化するように、一端側に切り欠き３９Ａが各々形成されており、切り欠き３９Ａが形成されている側が対向するように配置されている。
【００３８】
上記構成では、写真フィルム２２の画像コマ読み取り時に所望の光成分の光となるようフィルタ（３６Ｃ、３６Ｍ、３６Ｙ、３６ＩＲ）の何れかが光軸Ｌ上に位置し、絞り３９の位置によって絞り３９を通過する光の光量を所望の光量に調整する。
【００３９】
そして拡散ボックス４０に入射した光は、拡散ボックス４０及び拡散ボックス４０の光入射側及び光射出側に各々取付けられた図示しない光拡散板により拡散光とされて射出される。このように、拡散ボックス４０から射出される光が拡散光とされることで、写真フィルム２２に照射される光の光量むらが低減され、フィルム画像に均一な光量の光が照射される。なお、上記の拡散ボックス４０は、１３５サイズの写真フィルム用であるが、他の写真フィルムに応じた形状の拡散ボックス（図示せず）も用意されている。
【００４０】
図７に示すように、フィルムキャリア３８の光軸Ｌに対応する位置には、略矩形上の開口１２０が設けられている。拡散ボックス４０からの光は、フィルムキャリア３８のフィルム搬送路１２２にセットされる写真フィルム２２に開口１２０を介して照射され、写真フィルム２２を透過した光は読取部４３に到達する。また、図中の後端側がキャリア本体１２４に軸支された開閉カバー１２６は、操作レバー１２８の操作によりロック解除されて図中矢印Ｃ方向に開放できるようになっている。
【００４１】
拡散ボックス４０は、上面が上記開口１２０の下方に接近するよう支持されている。よって、フィルムキャリア３８の装填時にフィルムキャリア３８と拡散ボックス４０が干渉しないように、フィルムキャリア３８の下面には、切り欠け部が設けられている。
【００４２】
読取部４３は、ケーシング４４内部に収容された状態で配置されている。ケーシング４４の内部には、上面にエリアＣＣＤ１１６が取付けられた載置台４７が設けられており、載置台４７からはレンズ筒４９が複数本垂下されている。レンズ筒４９の内部には、縮小・拡大等の変倍のために作業テーブル２７と接近離間する方向Ａにスライド移動可能に、レンズユニット５０が支持されている。
【００４３】
作業テーブル２７には支持フレーム４５が立設されている。載置台４７は、支持フレーム４５に取り付けられたガイドレール４２に、上記変倍やオートフォーカス時に共役長を確保するために作業テーブル２７と接近離間する方向Ｂにスライド移動可能に支持されている。
【００４４】
レンズユニット５０は複数枚のレンズから成り、複数枚のレンズの間には、レンズ絞り５１が設けられている。図４（Ｃ）に示すように、レンズ絞り５１は略Ｃ字状に成形された絞り板５１Ａを複数枚備えている。各絞り板５１Ａは光軸Ｌの周囲に均等に配置され一端部がピンに軸支されており、ピンを中心として回動可能とされている。複数枚の絞り板５１Ａは図示しないリンクを介して連結されており、レンズ絞り駆動モータ（後述）の駆動力が伝達されると同一の方向に回動する。この絞り板５１Ａの回動に伴って、光軸Ｌを中心として絞り板５１Ａにより遮光されていない部分（図４（Ｃ）における略星型の部分）の面積が変化し、レンズ絞り５１を通過する光の光量が変化する。
【００４５】
エリアＣＣＤ１１６は、各々可視光域及び赤外域に感度を有する多数のＣＣＤセル又はフォトダイオード等の光電変換素子が、マトリクス状に配列されたモノクロのＣＣＤであり、受光面がレンズユニット５０の結像点位置に略一致するように配置されている。また、エリアＣＣＤ１１６とレンズユニット５０との間にはＣＣＤシャッタ５２が設けられている。
【００４６】
図３に示すように、作業テーブル２７には、写真フィルム２２を冷却するための冷却風を生成するコンプレッサ９４が配置されている。コンプレッサ９４により生成された冷却風は、案内管９５によりフィルムキャリア３８の図示しない読取部に案内されて供給される。また案内管９５は、冷却風の流量を検出する流量センサ９６を貫通している。これにより、写真フィルム２２の読取部に位置する領域を冷却することができる。なお、流量センサ９６は、冷却風の風速を検出するセンサや圧力を検出する圧力センサ等の他のセンサに置き替えてもよい。
【００４７】
図５に示したエリアＣＣＤスキャナ１４の光学系の主要部を参照しながら、エリアＣＣＤスキャナ１４及び画像処理部１６の電気系の概略構成を、図６を用いて説明する。
【００４８】
エリアＣＣＤスキャナ１４は、エリアＣＣＤスキャナ１４全体の制御を司る、マイクロプロセッサ４６を備えている。マイクロプロセッサ４６には、バス６６を介してＲＡＭ６８（例えばＳＲＡＭ）、ＲＯＭ７０（例えば記憶内容を書換え可能なＲＯＭ）が接続されていると共に、ランプドライバ５３、コンプレッサ９４、流量センサ９６、及びモータドライバ４８が接続されている。ランプドライバ５３は、マイクロプロセッサ４６からの指示に応じてランプ３２を点消灯させる。また、写真フィルム２２のフィルム画像の読み取りの際、写真フィルム２２に冷却風を供給するために、マイクロプロセッサ４６は、コンプレッサ９４を稼働させる。なお、流量センサ９６により冷却風の流量が検出され、マイクロプロセッサ４６は、異常を検知する。
【００４９】
また、モータドライバ４８には、ターレット３６のフィルタ３６Ｃ、３６Ｍ、３６Ｙ、３６ＩＲの何れかが光軸Ｌに位置するようにターレット３６を図４（Ｂ）矢印ｔ方向に回転駆動するターレット駆動モータ５４、ターレット３６の基準位置（図示しない切り欠け）を検出するターレット位置センサ５５（図４（Ｂ）も参照）が接続されている。
【００５０】
モータドライバ４８には、更に、絞り３９をスライド移動させる絞り駆動モータ５６、絞り３９の位置を検出する、絞り位置センサ５７、載置台４７（即ち、エリアＣＣＤ１１６及びレンズユニット５０）をガイドレール４２に沿ってスライド移動させる読取部駆動モータ５８、載置台４７の位置を検出する読取部位置センサ５９、レンズユニット５０をレンズ筒４９に沿ってスライド移動させるレンズ駆動モータ６０、レンズユニット５０の位置を検出するレンズ位置センサ６１、レンズ絞り５１の絞り板５１Ａを回動させるレンズ絞り駆動モータ６２、レンズ絞り５１の位置（絞り板５１Ａの位置）を検出するレンズ絞り位置センサ６３、ＣＣＤシャッタ５２を全閉状態、全開状態及び減光状態の何れかの状態に切り換えるシャッタ駆動モータ６４、シャッタ位置を検出するシャッタ位置センサ６５、ファン３４を駆動するファン駆動モータ３７が接続されている。
【００５１】
マイクロプロセッサ４６は、エリアＣＣＤ１１６による写真フィルム２２の画像読み取りを行う際に、ターレット位置センサ５５及び絞り位置センサ５７によって検出されるターレット３６及び絞り３９の位置に基づき、ターレット駆動モータ５４によってターレット３６を回転駆動させると共に、絞り駆動モータ５６によって絞り３９をスライド移動させ、フィルム画像に照射される光を調節する。
【００５２】
またマイクロプロセッサ４６は、フィルム画像のサイズやトリミングを行うか否か等に応じてズーム倍率を決定し、フィルム画像が前記決定したズーム倍率でエリアＣＣＤ１１６によって読み取られるように、読取部位置センサ５９によって検出される載置台４７の位置に基づき読取部駆動モータ５８によって載置台４７をスライド移動させると共に、レンズ位置センサ６１によって検出されるレンズユニット５０の位置に基づきレンズ駆動モータ６０によってレンズユニット５０をスライド移動させる。
【００５３】
なお、エリアＣＣＤ１１６の受光面をレンズユニット５０によるフィルム画像の結像位置に一致させる合焦制御（オートフォーカス制御）を行う場合、マイクロプロセッサ４６は、読取部駆動モータ５８により載置台４７のみをスライド移動させる。この合焦制御は、一例としてエリアＣＣＤ１１６によって読み取られたフィルム画像のコントラストが最大となるように行う（所謂画像コントラスト法）ことができるが、これに代えて写真フィルム２２とレンズユニット５０（又はエリアＣＣＤ１１６）との距離を赤外線等により測定する距離センサを設け、フィルム画像のデータに代えて距離センサによって検出された距離に基づいて行うようにしてもよい。
【００５４】
これにより、写真フィルム２２上の画像記録領域に各フィルタ３６Ｃ、３６Ｍ、３６Ｙ、３６ＩＲに対応する波長域（Ｒ又はＧ又はＢ又はＩＲ）の光が順に照射され、写真フィルム２２上の画像記録領域を透過した光はエリアＣＣＤ１１６によって検出され（詳しくは光電変換され）、透過光量を表す信号としてエリアＣＣＤ１１６から出力される。
【００５５】
なお、Ｒ、Ｇ、Ｂの各波長域の光の透過光量は、画像記録領域に記録されている画像のＲ、Ｇ、Ｂ濃度に応じて変化し、また写真フィルム２２に傷や異物が付いていた場合、あるいは光路上に塵埃が存在していた場合には、これらによっても変化する。ただし、ＩＲ光の透過光量は画像濃度の影響を受けず、傷や異物等のみによって変化する。
【００５６】
一方、エリアＣＣＤ１１６にはタイミングジェネレータ７４が接続されている。タイミングジェネレータ７４は、エリアＣＣＤ１１６や後述するＡ／Ｄ変換器８２等を動作させるための各種のタイミング信号（クロック信号）を発生する。エリアＣＣＤ１１６の信号出力端は、増幅器７６を介してＡ／Ｄ変換器８２に接続されており、エリアＣＣＤ１１６から出力された信号は、増幅器７６で増幅されＡ／Ｄ変換器８２で透過光量を表すデジタルデータに変換される。
【００５７】
Ａ／Ｄ変換器８２の出力端は、相関二重サンプリング回路（ＣＤＳ）８８、インタフェース（Ｉ／Ｆ）回路９０を順に介して画像処理部１６に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００５８】
さらに画像処理部１６には、前述したディスプレイ１８、キーボード１２Ａ、１２Ｂ、マウス２０、及びフィルムキャリア３８が接続されている。
【００５９】
また、図８に示すように、フィルムキャリア３８内には、写真フィルム２２の搬送方向（図中矢印Ｄ方向）に沿って、上流側から順に、ローディングセンサ１３０、被り部検出センサ１３２、コマ位置検出センサ１３４が配設されており、各センサは、フィルム搬送路１２２の上方に配置されたＬＥＤ１３０Ａ、１３２Ａ、１３４Ａ及びそのＬＥＤと対向して下方に配置されたＰＤ１３０Ｂ、１３２Ｂ、１３４Ｂから構成されている。また各センサは、エリアＣＣＤスキャナ１４内のマイクロプロセッサ４６に接続されて制御されるとともに、それぞれの検出情報（写真フィルムの濃度に応じて変動する透過光量の増減）をマイクロプロセッサ４６に送るようになっている。
【００６０】
また本実施の形態では、被り部検出センサ１３２は、フィルム搬送路１２２のフィルム搬送方向と直交する幅方向に沿って複数配列されており、写真フィルム２２の画像記録領域及びフィルム両側端部の非画像記録領域の画像濃度を検出するようになっている。また、読取部４３の光軸Ｌとコマ位置検出センサ１３４とのフィルム搬送方向の距離Ｘは、１３５サイズの写真フィルムの２．５コマ分に相当する約９５ｍｍに設定されている。
【００６１】
また光軸Ｌ上には、写真フィルム２２のエリアＣＣＤ１１６による読取領域の位置とその読取領域からエリアＣＣＤ側に離間した位置とに移動する、読取領域に対応する開口が形成された圧着板１３６が設けられており、圧着板１３６が上記の読取領域の位置に圧着すると、写真フィルム２２の平面性が確保される。
【００６２】
またローディングセンサ１３０と被り部検出センサ１３２の間、及び圧着板１３６の上流側と下流側には、フィルム搬送路１２２の下側に位置する駆動ローラ１３８と、フィルム搬送路１２２の上側に位置して駆動ローラ１３８に接する従動ローラ１４０が設けられている。駆動ローラ１３８には、図示しないローラ駆動モータ（パルスモータ）から回転駆動力が伝達されるようになっており、ローラ駆動モータは、モータドライバ４８を介しマイクロプロセッサ４６に接続され、モータドライバ４８からのパルス信号に基づいて回転駆動するようになっている。
【００６３】
図９に示すように、写真フィルム２２には複数の画像コマ１４２（１４２Ａ、１４２Ｂ、１４２Ｃ、１４２Ｄ…）が記録されており、フィルムの両側端部には、各画像コマ１４２に対応して、各画像コマ１４２の位置を特定するパーフォレーション１４４及び図示しないバーコードが形成されている。パーフォレーション１４４は、各画像コマ１４２の具体的な位置を特定し、バーコードは、先頭に位置する画像コマから何コマ目の位置にあるかを特定する。
【００６４】
また、ここでの写真フィルム２２は１３５タイプであり、フィルム先端部付近には他の写真フィルムと識別するために、識別番号が記載されたチェックテープ１４６が貼り付けられている。このチェックテープ１４６は、フィルムの現像処理前に、写真フィルムパトローネからフィルム先端側を少し引き出して貼り付けており、そのため、引き出し部は曝光され、フィルム先端側領域には現像後に最大濃度となる被り部１４８が形成される。
【００６５】
また記録画像については、先頭の画像コマ１４２Ａと３コマ目の画像コマ１４２Ｃは、夜景や花火等を撮影したことでアンダーとなりコマエッジが不鮮明になっている。２コマ目の画像コマ１４２Ｂには、人物と夜景とをバランスよく撮影するためのスローシンクロモード（夜景ポートレートモード）を用いて撮影された被写体画像１４３が記録されている。ただし、この画像コマ１４２Ｂも、被写体画像１４３の周囲の画像濃度は低いためコマエッジが不鮮明になっている。さらに、４コマ目の画像コマ１４２Ｄと５コマ目の画像コマ１４２Ｅには、日中に撮影された風景等の画像が記録されている。
【００６６】
次に、上記構成のエリアＣＣＤスキャナ１４による写真フィルムの画像読み取りについて説明する。
【００６７】
図１０には、本実施の形態に係るエリアＣＣＤスキャナ１４のメインルーチンが示されている。本ルーチンは写真フィルム２２がフィルムキャリア３８に装填され、図示しないスタートキーがオンされたときにスタートする。ここで、フィルムキャリア３８のフィルム挿入口１４９（図８参照）から挿入された写真フィルム２２の先端がローディングセンサ１３０により検出されると、駆動ローラ１３８が図８の矢印Ｅ方向に回転駆動し、それに伴い従動ローラ１４０も回転して写真フィルム２２を矢印Ｄ方向に搬送する。そして、ステップ１５０で、被り部の画像読み取りキャンセルルーチンを行い、ステップ１５１で、先頭コマ検出ルーチンを行い、ステップ１５２で、画像コマの読み取りを行う。
【００６８】
次に、図１１を参照して被り部の画像読み取りキャンセルルーチン（ステップ１５０）を説明する。フィルム搬送路１２２を搬送される写真フィルム２２が被り検出センサ１３２及びコマ位置検出センサ１３４の位置に達すると、ステップ１６０で、写真フィルム２２を搬送しながら被り部検出センサ１３２により画像記録領域及びフィルム両側端部の非画像記録領域の濃度に応じた透過光量に基づいて写真フィルム２２先端側の被り部１４８が検出され、ステップ１６２で、マイクロプロセッサ４６によりその被り部検出領域にはコマ画像が記録されていないものと判定し、本ルーチンを終了する。
【００６９】
なお、本実施の形態では、フィルム搬送路１２２の幅方向両側端部に配設された被り部検出センサ１３２によって写真フィルム２２の両側端部に形成されたバーコードも同時に読み取っており、この被り部検出センサ１３２にはバーコード検出センサとしての機能も割り当てられている。
【００７０】
この被り部の画像読み取りキャンセルルーチンによって、被り部１４８に位置するチェックテープ１４６が先頭の画像コマと誤って特定されることが回避され、チェックテープを検出するための専用のセンサ等を用いなくても先頭の画像コマが正しく特定される。したがって、先頭画像コマからの正しい画像読み取りが簡単な構成により実現されている。
【００７１】
以上説明した被り部の画像読み取りキャンセルルーチンが終了すると、すなわち、写真フィルム２２の被り部１４８が被り部検出センサ１３２を通過すると、続いてコマ位置検出センサ１３４により写真フィルム２２の先頭コマを検出する先頭コマ検出ルーチンが実行される。
【００７２】
ただし、図９に示した写真フィルム２２のように、先頭コマから複数の画像コマが連続してコマエッジが不鮮明になった場合は、コマ位置検出センサ１３４で検出する２コマ目以降の画像コマ濃度情報に基づいて行われる先頭コマの位置特定が不可能となる。そのため、従来は、画像コマを３コマ以上検出できないと写真フィルム２２の搬送が自動的に停止し、オペレータは、ディスプレイ１８に映し出される画像コマの映像を確認しながら、先頭コマの中心を読取部４３の光軸Ｌと一致させるよう、マニュアル操作（送りキー操作）によってフィルム搬送を行っている。このような煩わしい操作をなくすため、本実施形態のフィルム画像読み取りには、先頭コマを画像読取部に自動的に位置合わせする先頭コマ検出ルーチンが設けられている。
【００７３】
次に、図１２を参照して先頭コマ検出ルーチン（ステップ１５１）を説明する。ステップ１７０で、画像コマ数をカウントする変数Ｎを初期化し、ステップ１７２で、変数Ｎを１インクリメントし、ステップ１７４で、写真フィルム２２を搬送しながら先頭コマの画像濃度をコマ位置検出センサ１３４にて検出する。
【００７４】
そしてステップ１７６で、コマ位置検出センサ１３４による画像濃度の検出の可否を判断し、写真フィルム２２を所定距離搬送する間に検出できた場合は正常と判断してステップ１７８へ、検出できなかった場合は異常と判断してステップ１７２へ移行する。
【００７５】
ステップ１７８では、被り部検出センサ１３２によりフィルム両側端部の濃度に応じた透過光量を検出して画像コマに形成された被りの有無を判断し、被りが形成されていない場合は正常と判断してステップ１８０へ、形成されている場合は異常と判断してステップ１７２へ移行する。
【００７６】
ステップ１８０では、コマ位置検出センサ１３４から得られる画像濃度の検出情報（透過濃度分布）に基づいて先頭の画像コマ１４２Ａの搬送方向下流側のコマエッジ１５０Ｌｏ及び上流側のコマエッジ１５０Ｕｐを検出し、その検出情報からマイクロプロセッサ４６が先頭の画像コマ１４２Ａの記録位置を特定する。ここで、画像コマの記録位置を特定できた場合は正常と判断してステップ１８２へ、花火を撮影した画像コマのようにコマエッジが不鮮明で、写真フィルム２２を所定距離搬送する間に特定できなかった場合は異常と判断してステップ１７２へ移行する。
【００７７】
したがって、先頭コマがステップ１７６、１７８、１８０ですべて正常と判断された場合は、ステップ１８２で、変数Ｎが１コマ目を示す１カウントのままであるため肯定判定され、ステップ１９０へ移行する。
【００７８】
また、ステップ１７６、１７８、１８０のいずれかで異常と判断された場合は、ステップ１７２で、変数Ｎを１インクリメントし、以下同様に、ステップ１７４で写真フィルム２２を搬送しながら、ステップ１７６〜ステップ１８０が行われ、２コマ目が記録されていると思われる画像記録領域の画像濃度の検出の可否、画像コマに形成された被りの有無、及び、画像コマの記録位置の特定の可否が判断され、これらがすべて正常となるまで繰り返される。
【００７９】
例えば、図９に示す写真フィルム２２の場合、先頭の画像コマ１４２Ａは、画像濃度が記録領域の全域で低いため、ステップ１７６での画像濃度の検出にて異常となる。続く２コマ目の画像コマ１４２Ｂは、ステップ１７６では画像濃度の高い被写体画像１４３が検出されることで画像濃度は正常と判断され、ステップ１７８では画像コマに被りが形成されていないことが検出されて正常と判断される。しかし、ステップ１８０では、コマエッジを検出することができず画像コマの記録位置が特定できないため、ここで異常と判断される。３コマ目の画像コマ１４２Ｃは、先頭コマと同じく画像濃度が低いことにより、ステップ１７６で異常と判断される。
【００８０】
そして、風景等の画像が記録されている４コマ目の画像コマ１４２Ｄがコマ位置検出センサ１３４に達すると、画像濃度の検出が可能であることによりステップ１７６で正常と判断される。また、画像コマに被りが形成されていないためステップ１７８で正常と判断され、さらに、搬送方向下流側のコマエッジ１５０Ｌｏ及び上流側のコマエッジ１５０Ｕｐの検出情報に基づく記録位置の特定が可能であるため、ステップ１７８でも正常となる。その後、画像コマ１４２Ｄの記録位置を特定（確定）し、ステップ１８２へ移行する。
【００８１】
ステップ１８２では、変数Ｎが４コマ目を示す４カウントとなっていることにより、否定判定となってステップ１８６へ移行する。
【００８２】
ステップ１８６では、この写真フィルム２２の場合、記録位置を特定した４（Ｎ）コマ目の画像コマ１４２Ｄの前に、３（Ｎ−１）コマ分の画像コマが存在すると判定する。続くステップ１８８で、予め決められている画像コマの間隔の基準値：Ｆ（１３５サイズの写真フィルムの場合は３８ｍｍ）に基づいて、写真フィルム２２の画像コマ１４２Ｄの搬送方向下流側（画像コマ１４２Ｄよりも写真フィルム２２の先頭側）に、３（Ｎ−１）コマ分の画像コマの記録位置を設定する。これにより、以前のステップ１８０では特定（確定）できなかった画像コマ１４２Ａ、１４２Ｂ、１４２Ｃの記録位置が確定し、先頭コマ（画像コマ１４２Ａ）の記録位置が判明する。
【００８３】
そしてステップ１９０で、写真フィルム２２の搬送距離情報に基づきローラ駆動モータが所定パルス数回転駆動し、駆動ローラ１３８及び従動ローラ１４０により写真フィルム２２を所定方向に所定距離搬送して先頭の画像コマ１４２Ａの中心を読取部４３（画像読取部）の光軸Ｌに合わせ、写真フィルム２２の搬送を停止し、本ルーチンを終了する。
【００８４】
この写真フィルム２２の場合、４コマ目の画像コマ１４２Ｄの上流側のコマエッジ１５０Ｕｐがコマ位置検出センサ１３４を通過することによりその記録位置が特定されるが、前述したように、読取部４３の光軸Ｌとコマ位置検出センサ１３４との距離Ｘは１３５サイズの写真フィルムの２．５コマ分に設定されているため、上記の特定処理を行った時点では、先頭の画像コマ１４２Ａの中心は光軸Ｌを通過している。したがって、写真フィルム２２は、先頭の画像コマ１４２Ａの中心を画像読取部の光軸Ｌに戻すよう、図８の矢印Ｄとは逆方向に搬送制御される。
【００８５】
なお、上述の例では、コマ位置検出センサ１３４では検出（位置特定）不可能な先頭の画像コマを、最初に検出した４コマ目の画像コマの記録位置に基づいて特定する場合で説明したが、最初に検出可能な画像コマが２コマ目又は３コマ目、あるいは、５コマ目以降の場合でも同様である。また、本実施の形態では、２コマ目の画像コマによって先頭の画像コマの位置を特定することができた場合、先頭の画像コマの中心は画像読取部の光軸Ｌに達していないため、写真フィルム２２は順方向（図８の矢印Ｄ）に搬送制御されて先頭の画像コマを画像読取部に位置合わせするようになる。
【００８６】
以上により、先頭コマ検出ルーチンが終了すると、メインルーチンのステップ１５２による画像コマ読み取りが実行される。この画像コマ読み取りでは、光源部３０から射出されるＲ又はＧ又はＢ又はＩＲの各光が画像コマ１４２Ａに照射され、その透過光はエリアＣＣＤ１１６によって読み取られる。以降、写真フィルム２２の搬送及び画像コマの中心を画像読取部の光軸Ｌに合わせて停止させる動作を繰り返して、順次、画像コマ１４２Ｂ、１４２Ｃ、１４２Ｄ…が読み取られる。
【００８７】
また、本実施形態のエリアＣＣＤスキャナ１４は、読取部４３の光軸Ｌに位置合わせされた読取対象画像はディスプレイ１８に映し出され、オペレータは、画像の位置が適切か否かを目視により確認し、必要に応じて写真フィルムの送り操作（微調整）を行い、画像を読取位置に正確に位置合わせできる機能を備えている。したがって、上述した写真フィルム２２にように、コマエッジが不鮮明となっている先頭側の画像コマ１４２Ａ、１４２Ｂ、１４２Ｃが読取位置に位置合わせされた後、それらの画像読み取り前に、上記の機能を利用して位置を修正することができる。
【００８８】
さらに、本実施形態のエリアＣＣＤスキャナ１４は、上述した先頭コマ検出ルーチンにより、記録位置を特定した先頭の画像コマ又は先頭から連続する複数の画像コマの読取位置の修正に関し、画像読み取り前に修正可能な「セミオートモード」と、画像読み取り後に修正可能な「フルオートモード」との２種類のモードを備えている。これらのモードは、オペレータがディスプレイ１８に表示されたメニュー画面を見てキーボード１２Ａ、１２Ｂにより入力操作し又はフィルムキャリア３８に設けられた図示しないモード選択ボタンを操作し、何れかのモードを選択することにより設定される。
【００８９】
セミオートモードでは、先頭コマ検出ルーチンによってコマエッジが不鮮明である先頭の画像コマが読取位置に位置合わせされると、写真フィルムの搬送が停止し、ディスプレイ１８に、その読取対象画像がビデオモードでモニター表示される。オペレータは、ディスプレイ１８に映し出された画像の位置が適切か否かを目視により確認し、必要に応じて写真フィルムの送り操作を行い、スタートキーを再操作、又は、別途設けられた専用の画像読取キーを操作して、画像読み取りをスタートさせる。
【００９０】
一方、フルオートモードでは、先頭コマ検出ルーチンによってコマエッジが不鮮明である先頭の画像コマが読取位置に位置合わせされると、継続して画像読み取りが行われる。そして、最終の画像コマ（写真フィルム１本分）の画像読み取りが終了すると、写真フィルムの搬送が停止し、ディスプレイ１８に、それらの読み取った先頭の画像コマから最終の画像コマまでのサムネイル画像（縮小画像）が羅列表示される。オペレータは、このサムネイル表示された読取画像を確認し、位置ずれ等の異常がなければそのままその写真フィルムの画像読み取りを終了する。また、前述の写真フィルム２２のように、先頭コマ検出ルーチンによって位置特定された先頭の画像コマ１４２Ａ、あるいは、２コマ目の画像コマ１４２Ｂや３コマ目の画像コマ１４２Ｃ等に位置修正の必要性を認めた場合は、修正操作を行う。
【００９１】
その際は、オペレータがマウス２０又はキーボード１２Ａ、１２Ｂを操作し位置修正する画像コマのサムネイル画像をカーソルで選択すると、写真フィルムが逆方向に搬送されてその選択した画像コマが読取位置に位置合わせされ、写真フィルムの搬送が停止する。続いて、セミオートモードの場合と同じく、ディスプレイ１８に、その読取対象画像がモニター表示される。オペレータは、ディスプレイ１８に映し出された画像の位置を確認し、写真フィルムの送り操作を行って読み取り位置を修正し、位置の確定後に、スタートキーを再操作、又は、別途設けられた専用の画像再読取キーを操作して、その画像コマを再読み取りする。この再読み取りした画像はディスプレイ１８に表示され、適正であれば、オペレータは、ディスプレイ１８に表示されているメニュー画面から確定操作を行う。すると、その画像コマの読取画像は再読み取りしたものに置き換わる。また、再読み取り後に、再読み取りした画像を最初に読み取った画像とともにディスプレイ１８に表示させて比較することも可能であり、その比較確認後に、上記の確定操作をすることもできる。また、再読取画像にさらに位置修正の必要性を認めた場合は、ディスプレイ１８に表示されたその再読取画像をカーソルで選択すると、画像読み取りが可能な状態に切り替わる。そして、上記の位置修正及び画像読取操作を行うことにより再々読み取りすることができ、この操作は、適正な画像が得られるまで繰り返し行うことができる。
【００９２】
このようにして、前述の写真フィルム２２の場合、先頭の画像コマ１４２Ａ、あるいは、２コマ目の画像コマ１４２Ｂや３コマ目の画像コマ１４２Ｃ等の位置修正が終了した後は、オペレータが、ディスプレイ１８に表示されているメニュー画面から終了操作を行うと、写真フィルム２２が順方向に搬送されフィルムキャリア３８から排出される。
【００９３】
また、本実施形態のエリアＣＣＤスキャナ１４は、先頭コマ検出ルーチンにより、コマエッジが不鮮明である先頭の画像コマ又は先頭から連続する複数の画像コマの記録位置を特定した後の画像読取処理に関し、図１２に示した動作を行う「通常読取モード」と、以下に説明する「先行読取モード」との２種類のモードを備えている。これらのモードは、オペレータがディスプレイ１８に表示されたメニュー画面を見てキーボード１２Ａ、１２Ｂにより入力操作し又はフィルムキャリア３８に設けられた図示しないモード選択ボタンを操作し、何れかのモードを選択することにより設定される。
【００９４】
先行読取モードでは、ステップ１８８（コマエッジが不鮮明である先頭の画像コマ又は先頭から連続する複数の画像コマの記録位置の特定）までは通常読取モードと同じ動作となる。その後は、コマ位置検出センサ１３４によって最初にコマエッジを検出し記録位置を特定することができた画像コマ（写真フィルム２２の場合は４コマ目の画像コマ１４２Ｄ）を、読取位置に位置合わせし、その画像コマから画像読み取りを開始する。すなわち、上記の最初に記録位置を特定した画像コマを「仮の先頭コマ」として画像読み取りを行う。
【００９５】
そして、最終の画像コマの読み取りが終了すると、写真フィルムを逆方向に搬送して、先のステップ１８８で特定した先頭の画像コマを読取位置に位置合わせし、写真フィルムの搬送を停止する。続いて、ディスプレイ１８にはその読取対象画像がモニター表示される。
【００９６】
ここで、オペレータは、モニター表示された読取対象画像（先頭の画像コマ）を確認し、読み取る必要性が在るか否かを判断する。読み取る必要性在りと判断した場合は、スタートキーを再操作、又は、別途設けられた専用の画像読取キーを操作して、画像読み取りを行う。なお、ここでも、必要に応じて写真フィルムを送り操作し、画像の読取位置を修正することができる。
【００９７】
一方、モニター表示された読取対象領域に画像が殆ど写っていない又は画像を視認することができないなどにより、読み取る必要性無しと判断した場合は、オペレータは、ディスプレイ１８に表示されているメニュー画面に対し、キーボード１２Ａ、１２Ｂを操作しそのキャンセル指示を入力する。例えば、写真フィルム２２の場合は、先頭の画像コマ１４２Ａの画像読み取りを実行又はキャンセルすると、写真フィルム２２が順方向へ搬送され、２コマ目の画像コマ１４２Ｂが読取位置に位置合わせされる。オペレータは、この画像コマ１４２Ｂについても、読み取る必要性の有無を判断し、読み取りの実行又はキャンセルを選択することができる。２コマ目の画像コマ１４２Ｂの処理を終えると、続いて、３コマ目の画像コマ１４２Ｃが読取位置に位置合わせされ、オペレータは同様に、この画像コマ１４２Ｃについても画像読み取りの実行又はキャンセルを選択できる。そしてこれらの処理を終えると、写真フィルム２２は順方向に搬送されてフィルムキャリア３８から排出され、先行読取モードによる写真フィルム１本分の画像読取処理が終わる。
【００９８】
以上、この先行読取モードでは、コマエッジの検出によっては記録位置を特定できなかった先頭の画像又は先頭から連続する複数の画像に対し、画像読み取りの前に読取対象画像の確認を行い、必要に応じて画像の読取位置を修正する、あるいは、読み取りを行わないなどの選択ができるため、画像読取処理の選択肢が広がる。
【００９９】
また、本実施形態のエリアＣＣＤスキャナ１４は、先頭コマから連続して多数の画像コマのコマエッジが不鮮明であるような写真フィルムに対し、先頭コマ検出ルーチンによって、それらの画像コマの位置特定が所定数できなかった場合、又は、写真フィルムを所定搬送距離搬送する間にできなかった場合に、写真フィルムの搬送を停止させる「停止モード」と、それらの条件で停止させることなく位置の特定動作を続ける「連続モード」との２種類のモードを備えている。これらのモードは、オペレータがディスプレイ１８に表示されたメニュー画面を見てキーボード１２Ａ、１２Ｂにより入力操作し又はフィルムキャリア３８に設けられた図示しないモード選択ボタンを操作し、何れかのモードを選択することにより設定される。さらに、停止モードを選択した際は、上記の画像コマ数又は上記の写真フィルム搬送距離の条件を、数値入力する又予め定められた複数の種類の中から選択して設定する。
【０１００】
例えば、停止モードで画像コマ数を「４コマ」に条件設定した場合は、先頭コマ検出ルーチンによって、記録位置の特定ができない画像コマ数が４コマに達すると、写真フィルムの搬送が停止する。これにより、オペレータは、読取対象の写真フィルムの先頭側に、自動読み取りの不可能な画像コマが少なくとも４コマ存在すると認識する。そして、写真フィルムをフィルムキャリア３８から取り外し、写真フィルムに記録されている画像を目視で確認するなどして、その写真フィルムの画像読取処理に対し迅速に対応できるようになる。
【０１０１】
また、停止モードでの条件設定に、写真フィルムの搬送距離を用いる場合は、搬送距離を「１５０」／「２００」／「２５０」（ｍｍ）等と数値入力する、又は、搬送距離の短い「Ｓｈｏｒｔ」／搬送距離の長い「Ｌｏｎｇ」等の予め定められた複数の種類の中から選択して設定することができる。
【０１０２】
さらに、この停止モードでは、条件設定した画像コマ数よりも、記録されている画像コマ数の少ない写真フィルム、あるいは、条件設定した写真フィルム搬送距離よりも長さの短い写真フィルムにおいて、全ての画像コマの記録位置を特定できなかった場合は、写真フィルムの搬送が自動的に停止する。
【０１０３】
以上、この停止モードでは、コマエッジが不鮮明で記録位置を特定することができない画像コマが先頭コマから連続して多数存在する場合に、位置特定が可能な画像コマが現れるまで写真フィルムを搬送し続けることは時間の無駄であり、これに対し、画像コマの位置特定が所定数できなかった場合、又は、写真フィルムを所定搬送距離搬送する間にできなかった場合に、写真フィルムの搬送が停止するため、フィルム搬送停止後にオペレータが手動による位置合わせを実行して画像読取時間の短縮を図ることができる。
【０１０４】
また、本実施形態のエリアＣＣＤスキャナ１４は、全ての画像コマの記録位置を特定できなかった場合、あるいは、上記の停止モードで設定した条件下で画像コマの記録位置を特定できなかった場合、すなわち、画像コマの位置特定が所定数できなかった場合又は写真フィルムを所定搬送距離搬送する間にできなかった場合で、且つ、先頭コマ検出ルーチンにおけるステップ１７６の画像コマ濃度検出においては画像が検出できた場合は、その検出できた画像のうち最初に検出した画像を読取位置に位置合わせする「画像確認モード」を備えている。この画像確認モードは、オペレータがディスプレイ１８に表示されたメニュー画面を見てキーボード１２Ａ、１２Ｂにより入力操作し又はフィルムキャリア３８に設けられた図示しないモード選択ボタンを操作し、そのモードを選択することにより設定される。また、この画像確認モードは、上述した停止モードと組み合わせて機能させることができる。
【０１０５】
画像確認モードでは、例えば図９に示す写真フィルム２２において、記録されている全ての画像コマのコマエッジが不鮮明となっている場合、先頭コマ検出ルーチンのステップ１７６の画像コマ濃度検出で、最初に検出された画像は、２コマ目の画像コマ１４２Ｂに記録されている被写体画像１４３であり、その被写体画像１４３の位置情報は、エリアＣＣＤスキャナ１４のＲＡＭ６８（図６参照）に記憶される。そして先頭コマ検出ルーチンのステップ１７２〜ステップ１８０が繰り返され、写真フィルム２２の全ての画像コマの位置特定が不可能であることが判明すると、又は、停止モードで画像コマ数を「４コマ」に条件設定した場合では位置特定ができない画像コマ数が４コマに達すると、写真フィルム２２を逆方向に搬送するとともに被写体画像１４３の位置情報に基づきローラ駆動モータが所定パルス数回転駆動し、被写体画像１４３を画像読取部（フィルムキャリア３８の開口１２０内（読取領域内））に位置合わせし、写真フィルムの搬送を停止する。続いて、ディスプレイ１８にはその被写体画像１４３がモニター表示される。
【０１０６】
ここで、オペレータは、モニター表示された被写体画像１４３を確認し、読み取る必要性が在るか否かを判断する。読み取る必要性在りと判断した場合は、スタートキーを再操作、又は、別途設けられた専用の画像読取キーを操作して、画像読み取りを行う。なお、ここでも、必要に応じて写真フィルムを送り操作し、画像の読取位置を修正することができる。
【０１０７】
一方、読み取る必要性無しと判断した場合は、オペレータは、ディスプレイ１８に表示されているメニュー画面に対し、キーボード１２Ａ、１２Ｂを操作しそのキャンセル指示を入力する。ここで、被写体画像１４３の次に濃度検出された画像が存在する場合は、キャンセル操作後に、写真フィルム２２を搬送制御しその２番目に検出した画像をモニター表示する、あるいは、画像読取処理の終了等へと移行することができる。
【０１０８】
以上、この画像確認モードでは、オペレータは、ディスプレイ１８に表示される読取領域のモニター画像を確認しながら、送り操作によって画像を探す（読取位置に位置合わせする）必要がなくなる。したがって、オペレータの負担が軽減され、画像読取処理の効率が向上する。
【０１０９】
また、本実施形態のエリアＣＣＤスキャナ１４は、これまで説明してきたように、写真フィルムの搬送制御を順方向及び逆方向の双方に行う「通常搬送モード」と、順方向に限定する「逆搬送禁止モード」との２種類の搬送モードを備えている。これらの搬送モードは、フィルムの種類に応じて使い分けるものであり、オペレータがディスプレイ１８に表示されたメニュー画面を見てキーボード１２Ａ、１２Ｂにより入力操作し又はフィルムキャリア３８に設けられた図示しないモード選択ボタンを操作し、何れかのモードを選択することにより設定される。
【０１１０】
例えば、逆方向に搬送すると傷が付きやすい１３５サイズのリバーサルフィルム等に対しては、逆搬送禁止モードを選択する。この逆搬送禁止モードでは、先頭の画像コマ又は先頭から連続する複数の画像コマのコマエッジが不鮮明である場合、前述した「先行読取モード」のように、最初にコマエッジを検出し記録位置を特定することができた画像コマから画像読み取りを開始する。そして、最終の画像コマの読み取りが終了すると、ここでは、写真フィルム２２は順方向に搬送されてフィルムキャリア３８から排出される。
【０１１１】
以上、この逆搬送禁止モードでは、逆方向に搬送すると傷が付きやすいフィルムに対しての傷付き防止を図ることができる。
【０１１２】
以上説明したように本実施の形態は、フィルムキャリア３８による写真フィルム２２の搬送に伴い、写真フィルム２２に記録された複数の画像コマ１４２はそれぞれコマ位置検出センサ１３４により検出される。マイクロプロセッサ４６は、コマ位置検出センサ１３４の検出結果に基づいて画像コマ１４２の記録位置を特定するとともに、フィルムキャリア３８を制御して位置特定された画像コマの中心を読取部４３の光軸Ｌに位置合わせする。さらにマイクロプロセッサ４６は、複数の画像コマ１４２のうちフィルムの先頭の画像コマ（画像コマ１４２Ａ）又は先頭から連続する複数の画像コマ（画像コマ１４２Ａ、１４２Ｂ、１４２Ｃ）の位置特定ができなかった場合は、位置特定が可能な画像コマ（画像コマ１４２Ｄ）に到達するまで写真フィルム２２を搬送して順次画像検出を行い、位置特定できなかった画像コマ（画像コマ１４２Ａ、１４２Ｂ、１４２Ｃ）の記録位置は位置特定できた画像コマ（画像コマ１４２Ｄ）の記録位置に基づいて特定するとともに、写真フィルム２２を所定方向に搬送して先頭の画像コマ１４２Ａを画像読取位置に位置合わせするようフィルムキャリア３８を制御する。そして、その先頭の画像コマ１４２Ａから順に所定の画像読み取りを行う。
【０１１３】
これにより、先頭コマの記録位置を特定できない場合のオペレータが手動で行っていた画像読取位置合わせ作業を省くことができる。したがって、オペレータの負担が軽減され、画像読取処理の効率が向上する。
【０１１４】
なお、上述した実施の形態では、画像読取部の光源にランプ構成の光源部を用いているが、ＬＥＤ構成とすることもできる。また、エリアＣＣＤとしてＣＣＤを用いた場合を例に説明したが、これに替えてＭＯＳ型撮像センサ等の他の固体撮像デバイスを用いることも可能である。また、非可視光領域の光を赤外光（ＩＲ光）としたが、紫外光としてもよい。
【０１１５】
また、図１２に示す先頭コマ検出ルーチンの説明では、位置特定することができた画像コマの前に存在する画像コマの数の判定は、写真フィルムを所定距離搬送する毎に１コマカウントアップする、コマ数を数える方式にて行っているが、これは、写真フィルムの搬送距離から直接算出するなどの他の方式を用いることができる。
【０１１６】
【発明の効果】
以上説明したように、本発明の画像読取装置は上記構成としたので、先頭又は先頭から連続する複数の画像コマの読取位置が特定できない場合のフィルム画像読み取りが改善される。また、本発明の画像読取装置による画像読み取りは上記方法としたことで、先頭又は先頭から連続する複数の画像コマの読取位置が特定できない場合のフィルム画像読み取りが改善される。
【図面の簡単な説明】
【図１】エリアＣＣＤスキャナの外観図である。
【図２】エリアＣＣＤスキャナの光学系の正面断面図である。
【図３】エリアＣＣＤスキャナの光学系の側面断面図である。
【図４】（Ａ）は絞り、（Ｂ）はターレット、（Ｃ）はレンズ絞りの一例を各々示す平面図である。
【図５】エリアＣＣＤスキャナの光学系の主要部のみを示した図である。
【図６】エリアＣＣＤスキャナの電気系の概略構成を示すブロック図である。
【図７】フィルムキャリアの外観図である。
【図８】図７のフィルムキャリア内に設けられた各種センサ及び圧着板の位置関係を示した概略図である。
【図９】写真フィルムの一例を示す平面図である。
【図１０】本発明の一実施形態に係るメインルーチンを示したフローチャートである。
【図１１】図１０のステップ１５０の被り部の画像読み取りキャンセルルーチンを示したフローチャートである。
【図１２】図１０のステップ１５１の先頭コマ検出ルーチンを示したフローチャートである。
【符号の説明】
１４　　　エリアＣＣＤスキャナ（画像読取装置）
２２　　　写真フィルム（フィルム）
３８　　　フィルムキャリア（移動手段）
４６　　　マイクロプロセッサ（制御手段）
１３４　　　コマ位置検出センサ（画像検出手段）
１２Ａ、１２Ｂ　　　キーボード（モード設定手段）
【図１】
2004004646.tif 000003
【図２】
2004004646.tif 000004
【図３】
2004004646.tif 000005
【図４】
2004004646.tif 000006
【図５】
2004004646.tif 000007
【図６】
2004004646.tif 000008
【図７】
2004004646.tif 000009
【図８】
2004004646.tif 000010
【図９】
2004004646.tif 000011
【図１０】
2004004646.tif 000012
【図１１】
2004004646.tif 000013
【図１２】
2004004646.tif 000014